(57)【要約】      （修正有）【課題】利便性に優れた裁縫道具入れを提供する。【解決手段】前開口部１１と、該前開口部１１とは反対側に開口する後開口部１２を有し、内部に裁縫道具を収納するための収納空間が形成された箱状の収納部１０と、前記前開口部１１を開閉可能な前側ファスナー４０を有する前蓋部２０と、前記後開口部１２を開閉可能な後側ファスナー５０を有する後蓋部３０と、を備えている。【選択図】図２
0003224326.tif 000002
【実用新案登録請求の範囲】
【請求項１】
第１開口部と、該第１開口部とは反対側に開口する第２開口部を有し、内部に裁縫道具を収納するための収納空間が形成された箱状の収納部と、
前記第１開口部を開閉可能な第１留め具を有する第１蓋部と、
前記第２開口部を開閉可能な第２留め具を有する第２蓋部と、
を備えていることを特徴とする裁縫道具入れ。
【請求項２】
前記収納部には、該収納部の内部を前記第１開口部側の第１収納部と前記第２開口部側の第２収納部とに仕切る仕切り壁が設けられており、
前記第１収納部の容積は前記第２収納部の容積より大きいことを特徴とする請求項１に記載の裁縫道具入れ。
【請求項３】
前記第１蓋部及び前記第２蓋部は、前記収納部に回動可能に連結されており、
前記第１蓋部及び前記第２蓋部の少なくともいずれか一方には、前記収納部に対する回動を規制するストッパ機構が設けられていることを特徴とする請求項１又は２に記載の裁縫道具入れ。
【考案の詳細な説明】
【技術分野】
【０００１】
本考案は、裁縫道具を収納するための裁縫道具入れに関する。
【背景技術】
【０００２】
小中学校や高等学校の家庭科学習等で裁縫を学習する場合があり、その際に使用する裁縫道具を収納して持ち運ぶための裁縫道具入れが知られている。裁縫道具入れは、持ち運びの利便性や机上での省スペース化等の目的のために、コンパクトであることが求められてきた。また、購入時の負担を軽減するために製造コストを低く抑えることが求められてきた。
【０００３】
特許文献１に記載される裁縫道具入れは、全体に細長い矩形の形態であり、箱状の本体と、本体に一体に取り付けられた蓋部と、蓋部の内側に一体に取り付けられて本体上に載置可能な中蓋状の押え部材を備えている。長方形状の蓋部は、その三辺に設けられたファスナーによって開閉可能に構成されている。本体の一方の面に設けられた蓋部に対して中蓋状の押え部材を取り付けることにより、本体内部で収納空間を区画する仕切りを省略することが可能であり、コンパクト化と低コスト化を実現することができるとされている。
【先行技術文献】
【特許文献】
【０００４】
【特許文献１】登録実用新案第３１２５３７７号公報
【考案の概要】
【考案が解決しようとする課題】
【０００５】
ところで、こうした裁縫道具入れは一般的に、裁縫道具を収納可能な本体に一つの蓋部が取り付けられて構成されている。使用時には、蓋部が取り付けられた側の面が上方を向くようにして机の上に置き、ファスナーにより蓋部を開放して裁縫道具の出し入れをする必要がある。そのため、蓋部が取り付けられた側の面が下方となるようにして机の上に置いてしまうと裁縫道具の出し入れができず不便である。
【０００６】
本考案は、こうした従来の実情に鑑みてなされたものであり、その目的は、利便性に優れた裁縫道具入れを提供することである。
【課題を解決するための手段】
【０００７】
上記の目的を達成するため、本考案の裁縫道具入れは、第１開口部と、該第１開口部とは反対側に開口する第２開口部を有し、内部に裁縫道具を収納するための収納空間が形成された箱状の収納部と、前記第１開口部を開閉可能な第１留め具を有する第１蓋部と、前記第２開口部を開閉可能な第２留め具を有する第２蓋部と、を備えている。
【０００８】
上記の構成によれば、第１蓋部と第２蓋部は、収納部に対して互いに反対側に設けられている。そのため、第１蓋部側が下方となるようにして机の上に置いた場合には、第２留め具の操作により第２蓋部を開放して裁縫道具を出し入れすることができる。また、第２蓋部側が下方となるようにして机の上に置いた場合には、第１留め具の操作により第１蓋部を開放して裁縫道具を出し入れすることができる。裁縫道具入れの利便性が向上する。
【０００９】
上記の構成において、前記収納部には、該収納部の内部を前記第１開口部側の第１収納部と前記第２開口部側の第２収納部とに仕切る仕切り壁が設けられており、前記第１収納部の容積は前記第２収納部の容積より大きい。
【００１０】
上記の構成によれば、仕切り壁によって収納部の内部が仕切られていることから、裁縫道具を区分けして収納することができる。また、第１収納部と第２収納部の容積が異なることから、裁縫道具の種類によって適宜に区分けすることができる。
【００１１】
上記の構成において、前記第１蓋部及び前記第２蓋部は、前記収納部に回動可能に連結されており、前記第１蓋部及び前記第２蓋部の少なくともいずれか一方には、前記収納部に対する回動を規制するストッパ機構が設けられている。
【００１２】
上記の構成によれば、ストッパ機構により蓋部の回動が規制される。そのため、蓋部を開放した状態でも、内部に収納した小物類が収納部の外部へ露出したり落ちたりすることが抑制される。
【考案の効果】
【００１３】
本考案の裁縫道具入れは、利便性に優れている。
【図面の簡単な説明】
【００１４】
【図１】本実施形態の裁縫道具入れの斜視図。
【図２】蓋部を開放した状態の裁縫道具入れを前蓋部側から見た斜視図。
【図３】蓋部を開放した状態の裁縫道具入れを後蓋部側から見た斜視図。
【考案を実施するための形態】
【００１５】
以下、本考案を具体化した裁縫道具入れの一実施形態を図面に基づいて説明する。
図１に示すように、本実施形態の裁縫道具入れ１は、略直方体形状の収納部１０と、収納部１０の前側面に取り付けられた前蓋部２０と、収納部１０の後側面に取り付けられた後蓋部３０を備えており、全体として略直方体形状に形成されている。収納部１０、前蓋部２０、及び後蓋部３０の主要部分は、厚紙等の補強材に合成繊維等からなる布帛を被覆してなる板材から形成されている。以下の説明では、図１に示す上下、前後、左右に基づいて説明する。
【００１６】
図２及び図３に示すように、収納部１０の前面には、前方に向かって開口する前開口部１１が形成されている。前開口部１１は、収納部１０の前面全体に形成されている。また、収納部１０の後面には、後方に向かって開口する後開口部１２が形成されている。後開口部１２は、収納部１０の後面全体に形成されている。そのため、収納部１０は、一定幅の周壁１３で囲まれた形状をなしており、周壁１３の前端縁が前開口部１１を構成し、周壁１３の後端縁が後開口部１２を構成している。
【００１７】
図２に示すように、前蓋部２０は、収納部１０の周壁１３の下壁１３ａに対して回動可能に取り付けられている。前蓋部２０と収納部１０の前開口部１１との間には、前蓋部２０を開閉可能とする留め具としての前側ファスナー４０が取り付けられている。前側ファスナー４０の引手４１を移動させることにより、前蓋部２０により前開口部１１が閉塞された閉状態、前蓋部２０により前開口部１１が開放された開状態を採り得る。前蓋部２０は、前開口部１１に対して９０゜以上をなす角度まで回動可能である。
【００１８】
図３に示すように、後蓋部３０は、収納部１０の周壁１３の下壁１３ａに対して回動可能に取り付けられている。後蓋部３０と収納部１０の後開口部１２との間には、後蓋部３０を開閉可能とする留め具としての後側ファスナー５０が取り付けられている。後側ファスナー５０の引手５１を移動させることにより、後蓋部３０により後開口部１２が閉塞された閉状態、後蓋部３０により後開口部１２が開放された開状態を採り得る。
【００１９】
図３に示すように、後蓋部３０の内面における右側縁近傍と、後に説明する仕切り壁１６の右側辺１６ａとの間には、下方ほど幅狭の布片からなる右連結部６１が取り付けられている。右連結部６１は、後蓋部３０の上下方向２／３程度の位置から下方の位置に取り付けられている。同様に、後蓋部３０の内面における左側縁近傍と、仕切り壁１６の左側辺との間には、下方ほど幅狭の布片からなる左連結部６２が取り付けられている。右連結部６１と左連結部６２は同様の構成である。右連結部６１及び左連結部６２が取り付けられていることにより、後蓋部３０は、後開口部１２に対して約３０゜となる角度でその回動が規制される。右連結部６１及び左連結部６２は、収納部１０に対する後蓋部３０の回動を規制するストッパ機構を構成している。
【００２０】
収納部１０に対して前蓋部２０及び後蓋部３０を閉状態とすると、収納部１０、前蓋部２０及び後蓋部３０によって囲まれた空間が、裁縫道具を収納するための収納空間となる。
【００２１】
図２及び図３に示すように、収納部１０の前後方向中間部には、収納部１０内の収納空間を前収納部１４と後収納部１５に仕切る仕切り壁１６が形成されている。仕切り壁１６は、収納部１０の周壁１３の幅に対して前開口部１１から後方へ約３／４程度となる位置に、周壁１３の内面全周に亘って隙間なく接合されている。これにより、前収納部１４は、後収納部１５の約３倍の容量となる。
【００２２】
図２に示すように、前蓋部２０の内面には、収納ポケット２１が設けられている。収納ポケット２１は、前蓋部２０の内面における右側縁近傍、左側縁近傍、及び下側縁近傍のそれぞれに接合された１枚の布片２１ａにより形成されている。布片２１ａは、布片２１ａが接合された前蓋部２０の内面の大きさより少し大きく形成されており、その結果、収納ポケット２１は布片２１ａが少し弛んだ状態で形成されている。また、布片２１ａの上端縁には、ゴム部材２１ｂが取り付けられている。これにより、少し厚みのある裁縫道具、小物類を収納可能であるとともに、収納ポケット２１から小物類等が脱落しないように構成されている。
【００２３】
図３に示すように、仕切り壁１６における後収納部１５側の面には、収納ポケット１７が設けられている。収納ポケット１７は、仕切り壁１６の後収納部１５側の面における右側縁近傍、左側縁近傍、左右方向中間位置、及び下側縁近傍のそれぞれに接合された１枚の布片１７ａにより形成されている。また、布片１７ａの上端縁には、ゴム部材１７ｂが取り付けられている。収納ポケット１７は、左右方向中間位置で接合されていること以外、収納ポケット２１と同様の構成である。
【００２４】
図１に示すように、前蓋部２０及び後蓋部３０のそれぞれの上部外面には、裁縫道具入れ１を持ち運ぶ際に使用する持ち手７０が取り付けられている。
次に、本実施形態の裁縫道具入れ１の使用方法及び作用について説明する。
【００２５】
使用方法としては特に限定されるものではないが、例えば、裁ちばさみ、糸切ばさみ、針山、チャコペンシル、メジャー、各種糸等の裁縫道具を前収納部１４に収納し、裁縫途中の布片や小物等を後収納部１５に収納する。また、裁縫道具のうち、予備の針や待ち針等小物類は前収納部１４側の前蓋部２０の収納ポケット２１に収納する。同様に、裁縫途中の小物類は後収納部１５側の仕切り壁１６の収納ポケット１７に収納してもよい。
【００２６】
裁縫する際には、後側ファスナー５０の引手５１を移動させて後蓋部３０を開状態とし、後収納部１５内に収納された裁縫途中の布片や小物類を机の上に準備する。このとき、後蓋部３０は、ストッパ機構としての右連結部６１及び左連結部６２によりその回動を規制されているため、後収納部１５内に収納された小物類が不用意に外部に零れ落ちることが抑制される。
【００２７】
続いて、後蓋部３０を下側にして裁縫道具入れ１を机の上に置く。その状態で、前側ファスナー４０の引手４１を移動させて前蓋部２０を開状態とし、前収納部１４内に収納された裁縫道具を適宜取り出す。前蓋部２０にはストッパ機構が設けられておらず、前開口部１１に対して９０゜以上をなす角度まで回動可能であるため、比較的大きな裁縫道具、長い裁縫道具の出し入れが容易である。
【００２８】
裁縫の終了後、前蓋部２０を開状態として使用した裁縫道具を収納し、前側ファスナー４０を操作して前蓋部２０を閉状態とする。また、後蓋部３０を開状態として裁縫した布片や小物等を収納し、後側ファスナー５０を操作して後蓋部３０を閉状態とする。裁縫道具入れ１は持ち手７０を持って持ち運んで所定の収納場所に収納する。また、必要に応じて、収納場所に設けられたフック等に持ち手を引っ掛けるようにしてもよい。
【００２９】
次に、本実施形態の裁縫道具入れ１の効果について以下に記載する。
（１）本実施形態の裁縫道具入れ１は、前開口部１１及び後開口部１２を有する収納部１０と、前開口部１１を開閉可能な前蓋部２０と、後開口部１２を開閉可能な後蓋部３０を備えている。前開口部１１と後開口部１２は互いに反対側に開口している。
【００３０】
そのため、前蓋部２０側が下方となるようにして机の上に置いた場合には、後蓋部３０を開放して裁縫道具を出し入れすることができ、後蓋部３０側が下方となるようにして机の上に置いた場合には、前蓋部２０を開放して裁縫道具を出し入れすることができる。利便性の高い裁縫道具入れ１が得られる。
【００３１】
（２）収納部１０には、収納部１０の内部を前開口部１１側の前収納部１４と後開口部１２側の後収納部１５とに仕切る仕切り壁１６が設けられている。
そのため、裁縫道具を前収納部１４と後収納部１５に適宜区分けして収納することができる。
【００３２】
（３）収納部１０は、前収納部１４に加えて後収納部１５を有している。
そのため、例えば前収納部１４の容量が学校での家庭科学習で使用する裁縫道具を収納するのに十分な大きさであれば、後収納部１５は、裁縫道具以外の小物等を収納するスペースとして活用することができる。
【００３３】
また、小学校で購入した裁縫道具入れ１を、中学校、高等学校の家庭科学習で使用したり、成人した後に使用したりする場合が考えられる。この場合、前収納部１４以外に収納スペースが確保できることで、後に買い足した裁縫道具や小物類等を収納することができる。例えば、家庭科学習で使用した裁縫道具を容量の大きい前収納部１４にまとめて収納し、後に買い足した裁縫道具や小物類等を、容量の小さい後収納部１５に収納していくことができる。
【００３４】
（４）前収納部１４の容積は後収納部１５の容積より大きい。
そのため、裁縫道具の大きさや種類によって適宜区分けして収納することができる。
（５）後蓋部３０は収納部１０に回動可能に連結されており、後蓋部３０に設けられた右連結部６１及び左連結部６２は、収納部１０に対する後蓋部３０の回動を規制するストッパ機構を構成している。
【００３５】
そのため、後蓋部３０の回動が規制されて、後収納部１５内に収納した小物類が外部へ露出したり落ちたりすることが抑制される。
（６）収納部１０の前開口部１１は収納部１０の前面全体に形成されており、前開口部１１を開閉可能とする前蓋部２０は、前開口部１１に対して９０゜以上をなす角度まで回動可能である。
【００３６】
そのため、前蓋部２０を回動させて手を添えれば、前開口部１１を容易に全開状態に維持することができる。比較的大きな裁縫道具や長い裁縫道具の出し入れが容易である。
（７）前蓋部２０の内面には、収納ポケット２１が設けられている。また、仕切り壁１６における後収納部１５側の内面には、収納ポケット１７が設けられている。
【００３７】
そのため、小物類を適宜仕分けして収納することができる。
上記実施形態は、以下のように変更することができる。なお、上記実施形態及び以下の変更例は、技術的に矛盾しない範囲で互いに組み合わせて適用することができる。
【００３８】
・上記実施形態の裁縫道具入れ１は、略直方体形状の収納部１０を有し、全体として略直方体形状に形成されているが、その形状はこれに限定されない。例えば、収納部１０が前面視正方形状であってもよく、六角形状や八角形状の多角形状であってもよく、円形状であってもよい。この場合、前蓋部２０及び後蓋部３０は、収納部１０の前面視形状と同形状であってもよく、異なる形状、例えば長方形状であってもよい。
【００３９】
・上記実施形態の裁縫道具入れ１では、仕切り壁１６は、収納部１０の周壁１３の幅に対して前開口部１１から後方へ約３／４程度となる位置に接合されているが、仕切り壁１６の接合位置はこれに限定されない。例えば、前開口部１１と後開口部１２との略中央位置に接合されていてもよい。この場合、前収納部１４と後収納部１５の容量はほぼ同じとなる。
【００４０】
・仕切り壁１６は、収納部１０の周壁１３の内面全周に亘って隙間なく接合されているが、仕切り壁１６の大きさはこれに限定されない。例えば、収納部１０の上方から１／４程度の位置から下方に亘って接合されていてもよい。また、収納部１０の右方から１／５程度の位置から左方に亘って接合されていてもよい。仕切り壁１６によって前収納部１４と後収納部１５が完全に区画されていない状態であると、例えば、前収納部１４側から後収納部１５内の裁縫道具等を取り出すことができる。これは、仕切り壁１６が収納部１０の周壁１３の内面全周に亘って隙間なく接合されている状態で、例えば中央部に前収納部１４と後収納部１５を連通する開口部が形成されているような場合も同様である。
【００４１】
・仕切り壁１６を省略することもできる。
・収納部１０の前面には、前方に向かって開口する前開口部１１が収納部１０の前面全体に形成されており、後面には、後方に向かって開口する後開口部１２が収納部１０の後面全体に形成されているが、前開口部１１及び後開口部１２の大きさはこれに限定されない。前開口部１１が収納部１０の前面の一部に形成されていてもよく、前開口部１１と後開口部１２の大きさが異なっていてもよい。
【００４２】
・上記実施形態の裁縫道具入れ１では、前蓋部２０を開閉可能とする留め具として前側ファスナー４０が取り付けられており、後蓋部３０を開閉可能とする留め具として後側ファスナー５０が取り付けられているが、留め具は前側ファスナー４０や後側ファスナー５０の形状のファスナーに限定されない。例えば、ボタンや面ファスナーであってもよく、或いは、前蓋部２０に形成された凹溝と収納部１０に形成された凸条との係合構造であってもよい。
【００４３】
・上記実施形態の裁縫道具入れ１では、収納部１０に対する後蓋部３０の回動を規制するストッパ機構は、後蓋部３０の上下方向２／３程度の位置から下方の位置に取り付けられた布片からなる右連結部６１及び左連結部６２で構成されているが、ストッパ機構はこれに限定されない。後蓋部３０の上下方向中間位置と仕切り壁１６の上下方向中間位置との間に架け渡された紐状の部材で構成されていてもよい。また、伸縮自在な布片や紐状の部材で構成されていてもよい。
【００４４】
・右連結部６１や左連結部６２の位置、大きさは上記実施形態のものに限定されない。
・右連結部６１及び左連結部６２のいずれか一方を省略してもよい。また、右連結部６１及び左連結部６２の両方を省略して、後蓋部３０にストッパ機構を設けないようにしてもよい。
【００４５】
・前蓋部２０にストッパ機構を設けてもよい。
・右連結部６１や左連結部６２により後蓋部３０の回動が記載される角度は約３０゜でなくてもよい。約３０゜より小さくてもよく大きくてもよい。
【００４６】
・前蓋部２０には収納ポケット２１が設けられているが、これを省略することもできる。同様に仕切り壁１６には収納ポケット１７が設けられているが、これを省略することもできる。また、後蓋部３０に収納ポケットが設けられていてもよく、仕切り壁１６における前収納部１４側に収納ポケットが設けられて入れもよい。
【００４７】
・収納ポケット１７、２１の大きさ、形状は上記実施形態のものに限定されない。前蓋部２０の一部に収納ポケット１７が設けられていてもよく、仕切り壁１６の一部に収納ポケット１７が設けられていてもよい。
【００４８】
・収納ポケット１７のゴム部材１７ｂが設けられておらず、布片１７ａのみで形成されていてもよい。収納ポケット２１についても同様である。
・前蓋部２０に複数個の収納ポケットが設けられていてもよく、仕切り壁１６に複数個の収納ポケットが設けられていてもよい。
【００４９】
・持ち手７０は、前蓋部２０及び後蓋部３０のそれぞれの上部外面に取り付けられているが、持ち手の位置、数はこれに限定されない。例えば、収納部１０の周壁１３の上面に一つの持ち手が取り付けられていてもよい。また、収納部１０の周壁１３の左右側面のそれぞれに長さ調整可能な一つの持ち手が架け渡されていてもよい。
【００５０】
・持ち手７０を省略してもよい。
【符号の説明】
【００５１】
１…裁縫道具入れ、１０…収納部、１１…前開口部、１２…後開口部、１４…前収納部、１５…後収納部、１６…仕切り壁、１７…収納ポケット、２０…前蓋部、２１…収納ポケット、３０…後蓋部、４０…前側ファスナー（留め具）、５０…後側ファスナー（留め具）、６１…右連結部（ストッパ機構）、６２…左連結部（ストッパ機構）。
【図１】
0003224326.tif 000003
【図２】
0003224326.tif 000004
【図３】
0003224326.tif 000005